(57)【要約】【課題】美容的効果に加えて、色、香りセラピー効果も持たせた石鹸持たせた固形石鹸を提供すること。【解決手段】本発明は、表面、裏面及び側面とからなる板状の固形石鹸において、前記表面から前記裏面まで亘った異なった成分と色とからなる少なくとも第１層、第２層及び第３層の３つの層で形成され、前記第１層と前記第３層との間に前記第２層が設けられて前記第１層と前記第３層とは互いに非接触であり、前記第１層は固形石鹸の基本成分、保湿成分、色つき香り成分とから半透明の固形層で形成され、前記第２層は固形石鹸の基本成分、保湿成分とから白色の固形層で形成され、前記第３層は基本成分、保湿成分、老廃物油脂分吸着成分とから不透明の彩色固形層で形成されていることを特徴とする固形石鹸を提供している。【選択図】図１
2015140437.tif 000002
【特許請求の範囲】
【請求項１】
表面、裏面及び側面とからなる板状の固形石鹸において、前記表面から前記裏面まで亘った異なった成分と色とからなる少なくとも第１層、第２層及び第３層の３つの層で形成され、前記第１層と前記第３層との間に前記第２層が設けられて前記第１層と前記第３層とは互いに非接触であり、前記第１層は固形石鹸の基本成分、保湿成分、色つき香り成分とから半透明の固形層で形成され、前記第２層は固形石鹸の基本成分、保湿成分とから白色の固形層で形成され、前記第３層は基本成分、保湿成分、老廃物油脂分吸着成分とから不透明の彩色固形層で形成されていることを特徴とする固形石鹸。
【請求項２】
請求項１記載の固形石鹸において、前記基本成分を、水２５〜５０％、石ケン素地２６〜４２％、グリセリン１０〜２５％、ＰＧ１０〜２５％、ソルビトール５〜１０％、ラウレス硫酸Ｎａ５〜１０％、ラウリル硫酸Ｎａ１〜５％、塩化Ｎａ０．１〜１％、ペンテト酸５Ｎａ０．１％以下、エチドロン酸４Ｎａ０．１％以下、コカミドＤＥＡの１００％原料１〜３％、ポリグルタミン酸の２％、ＢＧ２０％原料０．００５〜３％、カリ石ケン素地の３３％原料０．１〜４％、ＰＶＰの１００％原料０．０１〜３％で形成し、第１層は植物エキスからなる香り付きの保湿成分を含有し、第２層はコメ発酵液の保湿成分を含有し、第３層はタナクラクレイの老廃物油脂分吸着成分を含有していることを特徴とする固形石鹸。
【発明の詳細な説明】
【技術分野】
【０００１】  本発明は、固形石鹸に関する。
【背景技術】
【０００２】  固形石鹸は、石鹸の基本成分、及び保湿成分からなる表面、裏面及び側面からなる立体形状で１色のものが一般的である。また、意匠登録第１３３８８７５号公報に記載されているように複数色に着色した成分で絵を画いたものもある。
【先行技術文献】
【特許文献】
【０００３】
【特許文献１】意匠登録第１３３８８７５号公報
【発明の概要】
【発明が解決しようとする課題】
【０００４】  従来の固形石鹸は、香り成分、色成分を伴った保湿等の美容成分を利用して、美容的効果に加えて、色、香りセラピー効果も持たせた石鹸ではない。そこで本発明は、美容的効果に加えて、色、香りセラピー効果も持たせた石鹸持たせた固形石鹸を提供することを目的になされたものである。
【課題を解決するための手段】
【０００５】  本発明は、表面、裏面及び側面とからなる板状の固形石鹸において、前記表面から前記裏面まで亘った異なった成分と色とからなる少なくとも第１層、第２層及び第３層の３つの層で形成され、前記第１層と前記第３層との間に前記第２層が設けられて前記第１層と前記第３層とは互いに非接触であり、前記第１層は固形石鹸の基本成分、保湿成分、色つき香り成分とから半透明の固形層で形成され、前記第２層は固形石鹸の基本成分、保湿成分とから白色の固形層で形成され、前記第３層は基本成分、保湿成分、老廃物油脂分吸着成分とから不透明の彩色固形層で形成されていることを特徴とする固形石鹸を提供する。【０００６】  さらに本発明は、上記の固形石鹸において、前記基本成分を、水２５〜５０％、石ケン素地２６〜４２％、グリセリン１０〜２５％、ＰＧ１０〜２５％、ソルビトール５〜１０％、ラウレス硫酸Ｎａ５〜１０％、ラウリル硫酸Ｎａ１〜５％、塩化Ｎａ０．１〜１％、ペンテト酸５Ｎａ０．１％以下、エチドロン酸４Ｎａ０．１％以下、コカミドＤＥＡの１００％原料１〜３％、ポリグルタミン酸の２％、ＢＧ２０％原料０．００５〜３％、カリ石ケン素地の３３％原料０．１〜４％、ＰＶＰの１００％原料０．０１〜３％、ラウロイルグルタミン酸Ｎａの１００％原料０．１〜３％で形成し、第１層は植物エキスからなる香り付きの保湿成分を含有し、第２層はコメ発酵液の保湿成分を含有し、第３層はタナクラクレイの老廃物油脂分吸着成分を含有していることを特徴とする固形石鹸を提供している。
【発明の効果】
【０００７】  本発明の固形石鹸は、成分と色の異なった少なくとも３つの層で形成し、第１層は保湿成分、色つき香り成分とから半透明の固形層としているので、単純な構図で美容的効果のほかに色、香りセラピー効果も備えたものである。
【図面の簡単な説明】
【０００８】
【図１】本発明の実施例の平面図である。
【図２】図１の側面図である。
【発明を実施するための形態】
【０００９】  本発明を、図１、図２に示す１実施例に基づいて具体的に説明する。図１、図２において、表面から裏面まで亘った第１層１、第２層２及び第３層３の３つの層で形成され、第１層１は固形石鹸の基本成分、保湿成分、色つき香り成分とから赤色系の半透明の固形層、第２層２は固形石鹸の基本成分、保湿成分とから白色の不透明の固形層であり富士山のような山形の形状となっており、前記第３層３は基本成分、保湿成分、老廃物油脂分吸着成分とから不透明の暗色系の彩色固形層であり第２層２を富士山形状に形成して固形石鹸全体が富士山模様に見えるように構成している。これらの層の表面の面積比は第１層１：第２層２：第３層３＝２５〜３０：５〜１０：６０〜７０である。
【００１０】  固形石鹸の基本成分としては、次の成分に、
水                                              ２５〜５０％
石ケン素地                                        ２６〜４２％
グリセリン                                      １０〜２５％
ＰＧ                                            １０〜２５％
ソルビトール                                      ５〜１０％
ラウレス硫酸Ｎａ                                    ５〜１０％
ラウリル硫酸Ｎａ                                      １〜５％
塩化Ｎａ                                          ０．１〜１％
ペンテト酸５Ｎａ                                      ０．１％以下
エチドロン酸４Ｎａ                                    ０．１％以下
次の成分を添加したものである。
コカミドＤＥＡの１００％原料                          １〜３％
ポリグルタミン酸の２％、ＢＧ２０％の原料      ０．００５〜３％
カリ石ケン素地の３３％原料                      ０．１〜４％
ＰＶＰの１００％原料                          ０．０１〜３％
カリ石鹸素地の１００％原料                        ０．１〜３％
【００１１】  なお、上記は日本化粧品工業会の定められた表示名称で表記しており、ＰＧとはプロピレングリコール、コカミドＤＥＡのＤＥＡはトリエタノールアミノカリ、石ケン素地はカリウム含有石鹸素地、ＰＶＰはポリビニルピロリドンのことである。
また、塩化Ｎａ、ペンテト酸５Ｎａ、エチドロン酸４Ｎａ等の固形石鹸の基本成分には極微小の不純物を含んでおり、不純物の成分の表記は省略している。
【００１２】  コカミドＤＥＡ、カリ石鹸素地、は気泡力アップの性質を持ち、ポリグルタミン酸は泡質改善と保湿の性質を持ち、ＰＶＰは被膜形成の性質を持つので含有させている。
第１層１には基本成分の他に、例えば赤１０６等の美容色素成分を微量、例えば０．００００１２６％ほど添加し、さらに赤１０６の美容色素成分に合わせてたとえば保湿性があるチューリップ花エキス等の植物エキスを添加し、また形状を富士山のような山形の彩色形状で形成しているので、カラーセラピー効果、美容効果、アロマセラピー効果を持たせている。
【００１３】  第２層２には基本成分の他に、酸化チタン、タルク及び保湿効果があるコメ発酵液を添加している。また、第３層３には基本成分の他に、老廃物油脂分吸着保湿効果があるタナクラクレイ、シリカを添加している。
【００１４】  第１層１乃至第３層３をそれぞれ分けたのは、製造を容易にするために各層の成分を混ぜた混合成分で形成すると製造しやすいが、成分が混ざり合うと成分どうしが悪さをして香りが変化したり、色が変化して、カラーセラピー効果、アロマセラピー効果がなくなったり低下するので、これを防ぐためである。
【符号の説明】
【００１５】１：第１層
２：第２層
３：第３層
【図１】
2015140437.tif 000003
【図２】
2015140437.tif 000004